(57)【特許請求の範囲】
【請求項１】
操作キーに形成したキー部の差込みにより回動体を回転させ作動体を移動させてスイッチ部が作動するように構成し、且つロック・アンロック作動手段によりロック手段を作動させて前記作動体の移動をロックするように構成したキースイッチであって、
前記回動体と前記作動体と前記スイッチ部とをそれぞれ複数構成にし、且つ前記作動体のうち少なくとも１つをロックさせないようにすると共に、前記操作キーに形成した前記キー部を前記複数の回動体に対応して複数個並列形成しており、さらに、複数構成の前記スイッチ部が常開接点部を備えており、これらの常開接点部を直列にして安全回路に接続したことを特徴とするキースイッチ。
【発明の詳細な説明】
【０００１】
【発明の属する技術分野】
本発明は、工作機械等の設備の保護フエンス（安全柵）のドア等の安全ドアスイッチ等に使用されるキースイッチに関するものである。
【０００２】
【従来の技術】
一般に、キースイッチは、工作機械等の設備の保護フエンス（安全柵）の出入口に取り付けてあり、この出入口を開閉するドアにはキースイッチを作動させる操作キ−が取り付けてある。
【０００３】
そして、キースイッチとして、図１０の（１）〜（３）に示すソレノイドロックタイプがある。このソレノイドロックタイプのキースイッチでは、操作キ−Ｓの差し込みによりカム部材４１のロックを解除すると共に、カム部材４１を回転して、第１、第２のプランジャ４２、４３が復帰ばね４４の付勢力よりヘッド５４側に移動して、この第２のプランジャ４３の端部の当接面４３Ａがプランジャ案内部４６より案内壁部４７内に引っ込む。
【０００４】
このように、第２のプランジャ４３が最大に移動した状態になって、スイッチ部４８においては、第１のスイッチ部４９がオン作動状態になり、また、第２のスイッチ部５０がオフ作動状態になり、スイッチ部４８が作動したことが確認される。この場合、第３のプランジャ５１はロック解除用ばね５８の付勢力により後退（右方向に移動）して、スイッチ部４８がオン作動状態ではロックしていない。
【０００５】
そして、図１０の（３）に示すようにソレノイド５９に通電して第４のプランジャ５４を押し出し、レバ−５５をその回動中心Ｐで回転させて第３のプランジャ５１をロック解除用ばね５８に抗して移動させることにより、この第３のプランジャ５１が第２のプランジャ４３の端部の当接面４３Ａに当接して、スイッチ部４８をオン作動状態でロックする。
【０００６】
この場合、第４のプランジャ５４の移動により、検出スイッチ部５６がスイッチオンの状態になる。したがって、この検出スイッチ部５６でソレノイド５９によるロックを検出する。
【０００７】
【発明が解決しようとする課題】
工作機械等の設備の保護フエンスのドアを、未熟な作業者が強引に引き開けようとする場合がある。
【０００８】
このような場合、上記した従来のキースイッチにあっては、操作キーＳの引抜き方向への力がカム部材４１に加わり、このカム部材４１が回転しようとして第１のプランジャ４２に無理な力が作用し、この第１のプランジャ４２が折損し、また、カム部材４１の回転力が、第１のプランジャ４２を介して第２のプランジャ４３を無理に押し下げようとし、この第２のプランジャ４３の端部の当接面４３Ａが第３のプランジャ５１に押し付けられて、第２のプランジャ４３の端部が破損し、キースイッチが故障して安全性を損なうという問題点があった。
【０００９】
また、上記した従来のキースイッチにおいて、第１、第２ののプランジャ４２、４３の直径を大きくして、無理な力に耐えるようにすることが考えられるが、第１、第２のプランジャ４２、４３の直径を大きくすると他の部品、例えばガイド部品などを改良する必要があり、キースイッチ全体を改良することにもつながり、不経済になるという問題点があった。
【００１０】
本発明は、上記の問題点に着目して成されたものであって、その目的とするところは、回動体（カム部材）と作動体（プランジャ）とスイッチ部とをそれぞれ複数構成にして、作動体（プランジャ）に加わる無理な力を分散し作動体（プランジャ）の折損事故を防止して安全性を確保することができるキースイッチを提供することにある。
【００１１】
【課題を解決するための手段】
上記の目的を達成するために、本発明に係るキースイッチは、操作キーに形成したキー部の差込みにより回動体を回転させ作動体を移動させてスイッチ部が作動するように構成し、且つロック・アンロック作動手段によりロック手段を作動させて前記作動体の移動をロックするように構成したキースイッチであって、前記回動体と前記作動体と前記スイッチ部とをそれぞれ複数構成にし、且つ前記作動体のうち少なくとも１つをロックさせないようにすると共に、前記操作キーに形成した前記キー部を前記複数の回動体に対応して複数個並列形成しており、さらに、複数構成の前記スイッチ部が常開接点部を備えており、これらの常開接点部を直列にして安全回路に接続したものである。
【００１２】
そして、ロック・アンロック作動手段が、押込み作動タイプのアクチュエータの押込み動作でスイッチ部を作動状態でロックするアクチュエータロックタイプであってもよいし、また、ロック・アンロック作動手段が、スイッチ部を作動状態でロックし且つ引込み作動タイプのアクチュエータの引き込み動作でロック解除を行うメカニカルロックタイプであってもよい。
【００１３】
かかる構成により、回動体と作動体とスイッチ部とをそれぞれ複数構成にし、作動体のうち少なくとも１つをロックさせないようにすると共に、操作キーに形成したキー部を複数の回動体に対応して複数個並列形成してあるために、１つのスイッチ部がオン状態でロック手段によりロックが入っている場合に、ロック破壊が生じてロック解除が不可能になっても、他のスイッチ部がオン状態でロックされていないように構成することができるために、操作キーを引き抜くことにより他のスイッチ部をオフ状態にすることができ、安全回路をオフすることができる。
【００１５】
なお、回動体はカム部材が該当し、作動体はカム部材に外接する第１プランジャとこの第１プランジャに連結された第２のプランジャとが該当する。また、ロック手段は第２のプランジャの端部に接する第３のプランジャが該当する。
【００１９】
また、本発明に係るキースイッチによれば、複数構成のスイッチ部が常開接点部を備えており、これらの常開接点部を直列にして安全回路に接続した。
【００２０】
かかる構成により、１つのスイッチ部の常開接点部がオン状態で、ロック手段によりロックが入っている場合に、ロック破壊が生じてロック解除が不可能になっても、他のスイッチ部の常開接点部は、オン状態でロックがされていないために、操作キーを引き抜くことにより他のスイッチ部の常開接点部をオフ状態にすることで、安全回路をオフすることができる。
【００２２】
【発明の実施の形態】
以下、本発明の実施の形態を図面に基づいて説明する。
【００２３】
（実施の形態１）
図１は本発明に係るキースイッチの実施の形態１の構成の詳細説明図、図２は同キースイッチの縦断面図、図３は同キースイッチの概略的な構成説明図である。
【００２４】
本発明に係るソレノイドロックタイプのキースイッチは、スイッチ本体Ａと、第１、第２のヘッドＨ１、Ｈ２とを備えている。
【００２５】
そして、スイッチ本体Ａは、スイッチ部２Ａ、２Ｂと、スイッチ部２Ａ、２Ｂをオン作動状態でロックするロック手段であるロック機構部３と、アクチュエータである押し込み作動タイプのソレノイド４の動作でロック機構部３を作動するロック・アンロック作動手段と、ソレノイド４によるロック解除を検出する検出スイッチ部６とを有している。
【００２６】
第１のヘッドＨ１はヘッドケース７−１を有しており、このヘッドケース７−１の正面部および上面部にはキー挿入口８−１が設けてある。そして、ヘッドケース７−１内にはカム部材１０−１が支軸９−１により回転可能に軸支された状態で収容してある。
【００２７】
第２のヘッドＨ２はヘッドケース７−２を有しており、このヘッドケース７−２の正面部および上面部にはキー挿入口８−２が設けてある。そして、ヘッドケース７−２内にはカム部材１０−２が支軸９−２により回転可能に軸支された状態で収容してある。
【００２８】
一方の作動体は、第１のプランジャ１１−１と、この第１のプランジャ１１−１に連結された第２のプランジャ１２−１と、第１、第２のプランジャ１１−１、１２−１を押し上げて第１のプランジャ１１−１をカム部材１０−１に外接させる復帰ばね１３−１とを有しており、スイッチ部２Ａは、常開接点部Ｔ１１−１、Ｔ１２−１と常閉接点部Ｔ２３−１、Ｔ２４−１とを有している。
【００２９】
そして、常開接点部Ｔ１１−１、Ｔ１２−１は、可動接点ａ１と固定接点ｂ１を有しており、常閉接点部Ｔ２３−１、Ｔ２４−１は可動接点ａ２と固定接点ｂ２を有している。
【００３０】
他方の作動体は、第１のプランジャ１１−２と、この第１のプランジャ１１−２に連結された第２のプランジャ１２−２と、第１、第２のプランジャ１１−２、１２−２を押し上げて第１のプランジャ１１−２をカム部材１０−２に外接させる復帰ばね１３−２とを有しており、スイッチ部２Ｂは常開接点部Ｔ１１−２、Ｔ１２−２と常閉接点部Ｔ２３−２、Ｔ２４−２とを有している。
【００３１】
そして、常開接点部Ｔ１１−２、Ｔ１２−２は、可動接点ａ１と固定接点ｂ１を有しており、常閉接点部Ｔ２３−２、Ｔ２４−２は可動接点ａ２と固定接点ｂ２を有している。
【００３２】
ロック機構部３は、スイッチ本体Ａに設けられたプランジャ案内部１６を有しており、このプランジャ案内部１６の案内壁部１７には、スイッチ部２Ａ、２Ｂを作動する第２のプランジャ１２−１、１２−２の端部１２Ａ−１、１２Ａ−２が挿入される挿入部１８−１、１８−２が設けてある。
【００３３】
そして、プランジャ案内部１６には第３のプランジャ１９が移動可能に設けてあり、この第３のプランジャ１９には、図１および図３に示すようにロック部１９Ａとばね受部２０とが形成してある。そして、このばね受部２０とプランジャ案内部１６に形成したばね受部１６Ａとの間にロック解除用ばね２１が介装してある。
【００３４】
スイッチ本体Ａには、レバ−２２が、その屈曲部を支軸２３に回転可能に支承されて設けてあり、このレバ−２２の一端部はピン２４により第３のプランジャ１９に連結してある。
【００３５】
検出スイッチ部６は、スイッチ本体Ａに移動可能に設けられた第４のプランジャ２５と、常開接点部Ｔ３１、Ｔ３２とを有している。そして、第４のプランジャ２５はレバ−２２の他端部にピン２４Ａにより連結されている。常開接点部３１、Ｔ３２は可動接点ａ３と固定接点ｂ３を有している。
【００３６】
ソレノイド４は押し込み作動タイプ（プル型）のソレノイドであって、このソレノイド４が励磁されることにより押し出される可動連結部２７を備えており、この可動連結部２７は、ソレノイド４のコア（図示せず）に連結された軸部２８で構成してあり、この軸部２８は第４のプランジャ２５に連結してある。
【００３７】
そして、図４に示すようにスイッチ部２Ｂの常開接点部Ｔ１１−２、Ｔ１２−２と、スイッチ部２Ａの常開接点部Ｔ１１−１、Ｔ１２−１と、検出スイッチ部６の常開接点部Ｔ３１、Ｔ３２とは安全回路Ｍに直列に接続してある。また、スイッチ部２Ａの常閉接点部Ｔ２３−１、Ｔ２４−１は表示灯端子Ｅ３に接続してある。そして、スイッチ部２Ａの常閉接点部Ｔ２４−１は予備回路Ｎに接続してあり、スイッチ部２Ｂの常閉接点部Ｔ２４−２は予備回路Ｎに接続してある。
【００３８】
上記の構成を有するキースイッチを工作機械を外囲した保護フェンスのドアにおける安全スイッチとして使用した場合、ドアには図５、図６に示す操作キ−３０が使用される。この場合、スイッチ部２Ａ、２Ｂの安全回路Ｍに接続された回路側は電源回路開閉用に使用される。
【００３９】
操作キ−３０はキー本体３１を備えており、このキー本体３１の後部は直角に屈曲されていて、この屈曲部３１Ａには３個の孔部３４が幅方向に並べて設けてあり、また、キー本体３１の先側には互いに並列するキー部３２、３３が形成してある。
【００４０】
そして、操作キ−３０のドア４０への取付けは、図６に示すように側面Ｌ字形状の取付用ブラケット３９と取付用ボルト３５とナット３６とばね部材３７、３８とにより行われる。
【００４１】
すなわち、取付用ブラケット３９の一方の取付片部３９Ａには、この一方の取付片部３９Ａにその幅方向に並べて設けた３個の孔部３９ａに重ねてナット３６が固着してある。
【００４２】
そして、取付用ブラケット３９の他方の取付片部３９Ｂを固定用ボルト４１でドア４０に固定し、取付用ボルト３５にばね部材３８を取り付け、この取付用ボルト３５を操作キ−３０の屈曲部３１Ａの孔部３４に挿通し、さらに、取付用ボルト３５にばね部材３７を取り付けて、この取付用ボルト３５をナット３６に螺合することで、取付用ボルト３５には、操作キ−３０の屈曲部３１Ａを中にしてばね部材３７、３８を配置し、これらのばね部材３７、３８により操作キ−３０が保持されている。
【００４３】
そして、操作キ−３０の一方のキー部３２は第１のヘッドＨ１のキー挿入口８−１に、他方のキー部３３は第２のヘッドＨ２のキー挿入口８−２に、それぞれ挿入されることになるが、この場合、操作キ−３０がばね部材３７、３８により保持されているために、操作キ−３０側、すなわち保護フェンスのドア４０側に発生する衝撃はばね部材３７、３８により吸収され、ヘッドＨ１、Ｈ２側には衝撃は伝わらない。
【００４４】
また、操作キ−３０がばね部材３７、３８により保持されているために、一方および他方のキー部３２、３３の第１、第２のヘッドＨ１、Ｈ２のキー挿入口８−１，８−２への挿入時のがたつき吸収が可能になる。
【００４５】
また、取付用ボルト３５の頭部３５Ａは、この取付用ボルト３５に規定値以上の力が作用すると破壊するようにしてある。
【００４６】
次に、上記のように構成されたキースイッチの作動を、このキースイッチを工作機械を外囲した保護フェンスのドアにおける安全スイッチとして使用した場合について説明する。
【００４７】
まず、ドア４０を開放している状態においては、操作キ−３０は引き抜かれている。この状態においては、第１、第２のヘッドＨ１、Ｈ２では、カム部材１０−１、１０−２の外形によって、第１、第２のプランジャ１１−１、１２−１、１１−２、１２−２の上方へ移動が制限されており、スイッチ部２Ａ、２Ｂの常開接点部Ｔ１１−１、Ｔ１２−１，Ｔ１１−２、Ｔ１２−２の各可動接点ａ１は各固定接点ｂ１から離間しており、さらに、検出スイッチ部６の可動接点ａ３も固定接点ｂ３から離間している。したがって、ドア４０の開放状態においては、工作機械等が駆動されることがない。
【００４８】
次に、ドア４０を閉じると、操作キ−３０の一方のキー部３２は第１のヘッドＨ１のキー挿入口８−１に、他方のキー部３３は第２のヘッドＨ２のキー挿入口８−２に、それぞれ挿入されることになる。
【００４９】
第１のヘッドＨ１においては、キ−部３２の挿入によってカム部材１０−１が、図７の（１）、（２）に示されるように回動し、キ−部３２の係合孔３２Ａにカム部材１０−１のカム外形の一部１０Ａが係合するとともに、このカム部材１０−１の回動によってこのカム部材１０−１のロックを解除すると共に、カム部材１０−１を回転して、このカム部材１０−１に外接する第１のプランジャ１１−１に連結されている第２のプランジャ１２−１が復帰ばね１３−１の付勢力よりヘッドＨ１側に移動して、この第２のプランジャ１２−１の端部１２Ａ−１がプランジャ案内部１６より案内壁部１７内に引っ込む。
【００５０】
また、第２のヘッドＨ２においては、キ−部３３の挿入によってカム部材１０−２が、図７の（１）、（２）に示されるように回動し、キ−部３３の係合孔３３Ａにカム部材１０−２のカム外形の一部１０Ａが係合するとともに、このカム部材１０−２の回動によってこのカム部材１０−２のロックを解除すると共に、カム部材１０−２を回転して、このカム部材１０−２に外接する第１のプランジャ１１−２に連結されている第２のプランジャ１２−２が復帰ばね１３−２の付勢力よりヘッドＨ２側に移動して、この第２のプランジャ１２−２の端部１２Ａ−２がプランジャ案内部１６より案内壁部１７内に引っ込む。
【００５１】
このように、第２のプランジャ１２−１、１２−２が最大に移動した状態になって、スイッチ部２Ａ、２Ｂにおいては、常開接点部Ｔ１１−１、Ｔ１２−１、Ｔ１１−２、Ｔ１２−２がオン作動状態になり、また、常閉接点部Ｔ２３−１、Ｔ２４−１、Ｔ２３−２、Ｔ２４−２がオフ作動状態になり、後述のように検出スイッチ部６の接点ａ３、ｂ３も接触して工作機械等の電源回路がオンして工作機械が駆動可能状態となる。
【００５２】
この場合、第３のプランジャ１９はロック解除用ばね２１の付勢力により後退（右方向に移動）して、スイッチ部２Ａの常開接点部Ｔ１１−１、Ｔ１２−１がオン作動状態ではロックしていない。
【００５３】
そして、ソレノイド４に通電して可動連結部２７を押し込み、この可動連結部２７に連結された軸部２８および第４のプランジャ２５を介してレバ−２２をその回動中心Ｐで時計回り方向に回転させて第３のプランジャ１９をロック解除用ばね２１に抗して移動させることにより、第２のプランジャ１２−１の端部１２Ａ−１に第３のプランジャ１９のロック部１９Ａを当接し、スイッチ部２Ａの常開接点部Ｔ１１−１、Ｔ１２−１がオン作動状態でロックする。なお、スイッチ部２Ｂの常開接点部Ｔ１１−２、Ｔ１２−２はオン作動状態でロックされない。
【００５４】
この場合、第４のプランジャ２５の移動により、検出スイッチ部６がスイッチオンの状態になる。したがって、この検出スイッチ部６でソレノイド４によるロックを検出すると共に、安全回路Ｍが機能する。
【００５５】
また、スイッチ部２Ａの常開接点部Ｔ１１−１、Ｔ１２−１をオフ作動させるには、ソレノイド４によるロックの解除と、前記操作キ−３０を引き抜くことにより行われ、スイッチ部２Ｂの常開接点部Ｔ１１−２、Ｔ１２−２をオフ作動させるには、前記操作キ−３０を引き抜くことにより行われる。
【００５６】
すなわち、ソレノイド４への通電を停めることにより、ソレノイド４の励磁による可動連結部２７の押し込みを解除し、ロック解除用ばね２１のばね力でレバ−２２をその回動中心Ｐで反時計回り方向に回転させて第３のプランジャ１９を移動させることにより、第２のプランジャ１２−１の端部１２Ａ−１より第３のプランジャ１９のロック部１９Ａを外す。
【００５７】
そして、ドア４０を開くことにより、操作キ−３０の一方のキー部３２を第１のヘッドＨ１より引き抜き、他方のキー部３３を第２のヘッドＨ２より引き抜くことにより、キ−部３２、３３の横材３２Ｂ、３３Ｂでカム部材１０−１、１０−２を引き倒して、このカム部材１０−１、１０−２を逆回転させる。
【００５８】
これらのカム部材１０−１、１０−２の逆回転により、これらのカム部材１０−１、１０−２に摺接している第１のプランジャ１１−１、１１−２に連結されている第２のプランジャ１２−１、１２−２が復帰ばね１３−１、１３−２に抗して第１、第２のヘッドＨ１、Ｈ２側とは反対側に移動して、これらの第２のプランジャ１２−１、１２−２の端部１２Ａ−１、１２Ａ−２をプランジャ案内部１６に突出させる。
【００５９】
このために、スイッチ部２Ａ、２Ｂにおいては、常開接点部Ｔ１１−１、Ｔ１２−１、Ｔ１１−２、Ｔ１２−２がオフ作動状態になり、また、常閉接点部Ｔ２３−１、Ｔ２４−１、Ｔ２３−２、Ｔ２４−２がオン作動状態になる。
【００６２】
上記した本発明の実施の形態１によれば、スイッチ部２Ａの常開接点部Ｔ１１−１、Ｔ１２−１と、スイッチ部２Ｂの常開接点部Ｔ１１−２、Ｔ１２−２と、検出スイッチ部６の常開接点部Ｔ３１、Ｔ３２とは安全回路Ｍに直列に接続してあるために、スイッチ部２Ａの常開接点部Ｔ１１−１、Ｔ１２−１がオン状態で、ロック機構部３によりロックが入っている場合に、ロック破壊が生じてロック解除が不可能になっても、スイッチ部２Ｂの常開接点部Ｔ１１−２、Ｔ１２−２は、オン状態でロックがされていないために、操作キー３０のキー部３３を引き抜くことによりスイッチ部２Ｂの常開接点部Ｔ１１−２、Ｔ１２−２をオフ状態にすることで、安全回路をオフすることができる。
【００６３】
また、図８に示すようにセーフティリレーユニット回路Ｍ−１に２チャンネル入力を接続して、一方のチャンネルを、スイッチ部２Ａの常開接点部Ｔ１１−１、Ｔ１２−１で構成した場合、スイッチ部２Ｂの常開接点部Ｔ１１−２、Ｔ１２−２を欠陥検出用として使用することができる。
【００６４】
なお、上記した本発明の実施の形態１では、ロック・アンロック作動手段を、押込み作動タイプのアクチュエータであるソレノイド４の押込み動作で第１のスイッチ部２Ａを作動状態でロックするアクチュエータロックタイプで構成したが、ロック・アンロック作動手段を、第１のスイッチ部２Ａを作動状態でロックし且つ引込み作動タイプのアクチュエータであるソレノイドの引き込み動作でロック解除を行うメカニカルロックタイプであってもよい。
【００６５】
（実施の形態２）
本発明に係るキースイッチの実施の形態２を図９に示す。
【００６６】
本発明に係るキースイッチの実施の形態２では、回動体であるカム部材と、操作体である第１、第２のプランジャと、スイッチ部と、ロック手段と、ロック・アンロック作動手段とでスイッチ本体Ｆを構成し、他の回動体であるカム部材と他の操作体である第１、第２のプランジャとスイッチ部とをユニット化してヘッドユニットＧを構成し、スイッチ本体ＦにヘッドユニットＧを連設（付加）するようにしたものである。
【００６７】
すなわち、スイッチ本体Ｆは、スイッチ部２Ａと、スイッチ部２Ａをオン作動状態でロックするロック手段であるロック機構部３と、アクチュエータである押し込み作動タイプのソレノイド４の動作でロック機構部３を作動するロック・アンロック作動手段と、ヘッド５Ａと、ソレノイド４によるロック解除を検出する検出スイッチ部６とを有する。
【００６８】
この場合、ロック機構部３は、スイッチ本体Ｆに設けられたプランジャ案内部１６−１を有しており、このプランジャ案内部１６−１の案内壁部１７には、スイッチ部２Ａの第２のプランジャ１２−１の端部１２Ａ−１が挿入される挿入部１８−１が設けてある。
【００６９】
そして、プランジャ案内部１６−１には第３のプランジャ１９が移動可能に設けられており、この第３のプランジャ１９にはロック部１９Ａとばね受部２０とが形成してある。そして、このばね受部２０とプランジャ案内部１６に形成したばね受部１６Ａとの間にロック解除用ばね２１が介装してある。
【００７０】
また、スイッチ本体Ｆとは別体のヘッドユニットＧは、ヘッド５Ｂと第１、第２のプランジャ１１−２、１２−２とスイッチ部２Ｂとで構成してある。ヘッド５Ｂはヘッドケース７−２を有しており、このヘッドケース７−２の正面部および上面部にはキー挿入口８−２が設けてある。そして、ヘッドケース７−２内にはカム部材１０−２が支軸９−２により回転可能に軸支された状態で収容してある。
【００７１】
またケースＧ−１にはプランジャ案内部１６−２が設けてあり、このプランジャ案内部１６−２の案内壁部１７には、スイッチ部２Ｂを作動する第２のプランジャ１２−２の端部１２Ａ−２が挿入される挿入部１８−２が設けてある。
【００７２】
そして、スイッチ本体ＦにヘッドユニットＧが連設（付加）してある。
【００７３】
そして、他の構成は、上記した本発明の実施の形態１の場合と同様であるために、同じ符号を付して説明を省略する。また、動作は、本発明の実施の形態１の場合と同様であるために説明を省略する。
【００７４】
上記した実施の形態２によれば、ヘッドユニットＧをスイッチ本体Ｆに連設  （付加）することで、カム部材１０−１、１０−２と第１、第２のプランジャ１１−１、１１−２、１２−１、１２−２とスイッチ部２Ａ、２Ｂをそれぞれ２重構成にすることができる。
【００７５】
したがって、工作機械等の設備の保護フエンスのドア４０を、未熟な作業者が強引に引き開けようとした場合、操作キー３０の引抜き方向への力がカム部材１０−１、１０−２に加わり、このカム部材１０−１、１０−２が回転しようとして第１、第２のプランジャ１１−１、１１−２、１２−１、１２−２に無理な力が作用するが、第１、第２のプランジャ１１−１、１１−２、１２−１、１２−２に加わる無理な力が分散される。このために、第１、第２のプランジャ１１−１、１１−２、１２−１、１２−２が折損することはなく、キースイッチが故障して安全性を損なうという問題点を解消することができる。
【００７６】
また、プランジャの直径を大きくして、無理な力に耐えるようにする必要がなく、例えばガイド部品などを改良する必要がなく、キースイッチ全体を改良することにもなく、不経済になることもない。
【００７７】
なお、上記した本発明の実施の形態２では、ロック・アンロック作動手段を、押込み作動タイプのアクチュエータであるソレノイド４の押込み動作で第１のスイッチ部２Ａを作動状態でロックするアクチュエータロックタイプで構成したが、ロック・アンロック作動手段を、第１のスイッチ部２Ａを作動状態でロックし且つ引込み作動タイプのアクチュエータであるソレノイドの引き込み動作でロック解除を行うメカニカルロックタイプであってもよい。
【００７８】
また、上記した本発明の実施の形態２では、カム部材１０−１、１０−２と第１、第２のプランジャ１１−１、１１−２、１２−１、１２−２とスイッチ部２Ａ、２Ｂとをそれぞれ２重構成にしたが、複数のヘッドユニットＧをスイッチ本体Ｆに連設（付加）することで、カム部材１０−１、１０−２と第１、第２のプランジャ１１−１、１１−２、１２−１、１２−２とスイッチ部２Ａ、２Ｂとをそれぞれ２以外の複数構成にすることも可能である。
【００７９】
【発明の効果】
以上説明したように、本発明に係るキースイッチによれば、回動体と作動体とスイッチ部とをそれぞれ複数構成にし、作動体のうち少なくとも１つをロックさせないようにすると共に、操作キーに形成したキー部を複数の回動体に対応して複数個並列形成してあるために、１つのスイッチ部がオン状態でロック手段によりロックが入っている場合に、ロック破壊が生じてロック解除が不可能になっても、他のスイッチ部がオン状態でロックされていないように構成することができるために、操作キーを引き抜くことにより他のスイッチ部をオフ状態にすることができ、安全回路をオフすることができる。
【図面の簡単な説明】
【図１】本発明に係るキースイッチの実施の形態１の構成の詳細説明図である。
【図２】同キースイッチの縦断面図である。
【図３】同キースイッチの概略的な構成明図である。
【図４】同キースイッチの回路図である。
【図５】操作キーの組立状態の斜視図である。
【図６】同操作キーの組立状態の側面図である。
【図７】（１）、（２）は同キースイッチの作動説明図である。
【図８】同キースイッチの配線図である。
【図９】本発明に係るキースイッチの実施の形態２の概略的な構成説明図である。
【図１０】（１）〜（３）は従来のキースイッチの作動説明図である。
【符号の説明】
Ａ          スイッチ本体
Ｆ          スイッチ本体
Ｇ          ヘッドユニット
Ｈ１        第１のヘッド
Ｈ２        第２のヘッド
Ｔ１１−１  常開接点部
Ｔ１２−１  常開接点部
Ｔ１１−２  常開接点部
Ｔ１２−２  常開接点部
Ｔ２３−１  常閉接点部
Ｔ２３−２  常閉接点部
Ｔ２４−１  常閉接点部
Ｔ２４−２  常閉接点部
Ｔ３１      常開接点部
Ｔ３２      常開接点部
２Ａ        スイッチ部
２Ｂ        スイッチ部
３          ロック機構部（ロック手段）
４          ソレノイド（ロック・アンロック作動手段）
６          検出スイッチ部
７−１      ヘッドケース
７−２      ヘッドケース
８−１      キー挿入口
８−２      キー挿入口
９−１      支軸
９−２      支軸
１０−１    カム部材（回動体）
１０−２    カム部材（回動体）
１１−１    第１のプランジャ（作動体）
１１−２    第２のプランジャ（作動体）
１２−１    第１のプランジャ（作動体）
１２−２    第２のプランジャ（作動体）
１３−１    復帰ばね
１３−２    復帰ばね
１６        プランジャ案内部
１６−１    プランジャ案内部
１６−２    プランジャ案内部
１６Ａ      ばね受部
１７        案内壁部
１８−１    挿入部
１８−２    挿入部
１９        第３のプランジャ
１９Ａ      ロック部
２０        ばね受部
２１        ロック解除用ばね
２２        レバ−
２３        支軸
２４        ピン
２４Ａ      ピン
２５        第４のプランジャ
２７        可動連結部
２８        軸部
【図１】
0004092875.tif 000002
【図２】
0004092875.tif 000003
【図３】
0004092875.tif 000004
【図４】
0004092875.tif 000005
【図５】
0004092875.tif 000006
【図６】
0004092875.tif 000007
【図７】
0004092875.tif 000008
【図８】
0004092875.tif 000009
【図９】
0004092875.tif 000010
【図１０】
0004092875.tif 000011